(57)【要約】【課題】シャーシが棚板の反り影響を受けないよう、また押鍵したときリブを使用することなくシャーシが反らないように、シャーシを棚板の上方に設置した鍵盤楽器、及びこの鍵盤楽器で用いられる第１支持具を提供する。【解決手段】鍵盤装置１では、シャーシ１０の鍵盤支持部３１及びハンマー支持部３２の下面２箇所で接し、棚板２には１箇所で接する第１支持具５０を用い、第１支持具５０及び第２支持具５１全体では、シャーシ３０には３点で接し、棚板４０には２点で接してシャーシ１０を棚板４０上に設置している。そのため、棚板４０に対しては２点で接しているので、棚板４０が反ってもシャーシ１０が反ることがなく、また、シャーシ３０に対してはハンマー支持部３２を含む３点で接しているので、押鍵されてもシャーシ３０が反ることがない。【選択図】  図１
2004212787.tif 000002
【特許請求の範囲】
【請求項１】
鍵盤及びハンマーを揺動可能に支持するシャーシが棚板の上方に支持された鍵盤楽器において、
演奏者側、非演奏者側、及び前記演奏者側と前記非演奏者側との間の中間部の３点で前記シャーシを支持し、また、前記演奏者側あるいは前記非演奏者側のいずれか一方及び前記中間部の２点で前記棚板上に接して、前記シャーシを前記棚板の上方に支持する支持手段を備えることを特徴とする鍵盤楽器。
【請求項２】
請求項１記載の鍵盤楽器において、
前記中間部は、前記ハンマーが前記シャーシに揺動可能に支持される部分、あるいは、その近傍であることを特徴とする鍵盤楽器。
【請求項３】
請求項１，２いずれか記載の鍵盤楽器において、
前記支持手段は、前記シャーシを支持する前記中間部の直下あるいは直下近傍で前記棚板に接して、前記シャーシを前記棚板の上方に支持することを特徴とする鍵盤楽器。
【請求項４】
請求項１〜３いずれか記載の鍵盤楽器において、
前記支持手段は、
前記演奏者側あるいは前記非演奏者側のいずれか一方及び前記中間部で前記棚板に接して、前記シャーシを前記棚板の上方に支持する第１支持具と、
前記演奏者側あるいは前記非演奏者側のうち、前記第１支持具が接していない側でシャーシ及び前記棚板に接して、前記シャーシを前記棚板の上方に支持する第２支持具と
を備えることを特徴とする鍵盤楽器。
【請求項５】
請求項４記載の鍵盤楽器で用いられる第１支持具であって、
前記演奏者側あるいは前記非演奏者側のいずれか一方及び前記中間部で前記シャーシに接し、前記中間部で前記棚板に接して、前記シャーシを前記棚板の上方に支持可能な形状に形成されていることを特徴とする第１支持具。
【発明の詳細な説明】
【０００１】
【発明の属する技術分野】
本発明は、鍵盤楽器及び該鍵盤楽器で用いられる第１支持具に関する。
【０００２】
【従来の技術】
従来より、電子ピアノの鍵盤装置１００は、図２，３に示すように、鍵盤１１０、ハンマー１２０、シャーシ１３０を備えている。このうちシャーシ１３０は、棚板１４０の上方に支持具１５０，１５０で支持されている。そしてそのシャーシ１３０に対しハンマー１２０は、演奏者側のシャーシ１３０と棚板１４０との間で先端部が揺動するよう、シャーシ１３０の演奏者側と非演奏者側との間の中間部（以下支持部１３０ａという）に後端部が揺動可能に取り付けられている。また、鍵盤１１０は、演奏者側で先端部が揺動するよう、後端部がシャーシ１３０の非演奏者側（１３０ｂ）に揺動可能に取り付けられている。
【０００３】
以上のように構成された鍵盤装置１００では、押鍵すると、鍵盤１１０の下部に設けられた突起部１１０ａがハンマー１２０の後端部１２０ａを押し、ハンマー１２０の先端部が揺動するので、演奏者に押鍵の手応感を与えることができる。
【０００４】
しかし、シャーシ１３０は、支持部１３０ａが下から支えられていないと、鍵盤１１０を押鍵したとき、図２中の矢印αで示すように、支持部１３０ａが下方に押されてシャーシ１３０が歪んでしまい、押鍵の手応感がなくなってしまう。
そのため従来は、第１の方法として、図４に示すように、支持部１３０ａを棚板１４０上に直接支持していた（特許文献１、２）。
【０００５】
また、第２の方法として、図５，６に示すように、支持具１５０，１５０を渡して、リブ１６０を設け、このリブ１６０で支持部１３０ａを支持していた。
【０００６】
【特許文献１】
特開平１１−３２７５４０号公報
【特許文献２】
特開平１１−１７５０５４号公報
【０００７】
【発明が解決しようとする課題】
しかし、棚板１４０は水分を吸うなどして反ってしまい、第１の方法を採用して、シャーシ１３０を棚板１４０に３ケ所で止めた場合、図７に示すように、シャーシ１３０の中間部、すなわちハンマー１２０を揺動自在に支持する支持部１３０ａが、棚板１４０の反りに合わせて押し上げられたり（図７（ａ））、引き下げられたり（図７（ｂ））してしまうことがある。
【０００８】
そして、棚板が上反りしシャーシ１３０の中央が押し上げられた場合、図７（ａ）に示すように、支持部１３０ａも押し上げられ、ハンマー１２０の後端が鍵盤１１０に押されてハンマー１２０の先端が持ち上がるという問題が発生した。一方、棚板が下反りしシャーシ１３０が引き下げられた場合、図７（ｂ）に示すように、支持部１３０ａも引き下げられ、鍵盤１１０もこれに伴って下がってしまい、ハンマー１２０の先端も棚板１４０に接触する位置まで下がるという問題が発生した。
【０００９】
上反りが発生するとハンマー１２０が持ち上がるので、鍵盤１１０を少し押下しただけでハンマー１１０が上死点１３０ｂに達してしまう。そのため、押下距離が不足し、発音タイミングが悪化するという問題があった。
また、下反りが発生すると、ハンマー１２０が棚板１４０と接触する位置まで下がってしまい、また、鍵盤１１０もシャーシ１３０と接触する位置まで回転してしまうので、タッチの感触が悪くなったり、発音タイミングが悪化するという問題があった。
【００１０】
一方、第２の方法では、図８に示すように、演奏者側と非演奏者側の二箇所についてのみ２つの支持具１５０，１５０を用いてシャーシ１３０を支持しているので、第１の方法のように棚板１４０の反りにあわせてシャーシ１３０が反ってしまうことを防止できるが、シャーシ１３０には、図４や図６を見ると分かるように、複数の鍵盤１１０やハンマー１２０等の複数の部品が取り付けられて、そこにリブ１６０を新たに設けると、部品点数が増加してコストが増すばかりか、リブ１６０を設ける分だけ、別の部品を取り付けるスペースが削られ設計の自由度が下がり、その分鍵盤の性能を向上できないという問題があった。
【００１１】
そこで本発明では、シャーシが棚板の反り影響を受けないよう、また押鍵したときリブを使用することなくシャーシが反らないように、シャーシを棚板の上方に設置した鍵盤楽器、及びこの鍵盤楽器で用いられる第１支持具を提供することを目的とする。
【００１２】
【課題を解決するための手段及び発明の効果】
上記目的を達するためになされた請求項１記載の発明は、鍵盤及びハンマーを揺動可能に支持するシャーシが棚板の上方に支持された鍵盤楽器において、演奏者側、非演奏者側、及び前記演奏者側と前記非演奏者側との間の中間部の３点で前記シャーシを支持し、また、前記演奏者側あるいは前記非演奏者側のいずれか一方及び前記中間部の２点で前記棚板上に接して、前記シャーシを前記棚板の上方に支持する支持手段を備えることを特徴とする。
【００１３】
この請求項１記載の鍵盤楽器によると、シャーシに対し演奏者側、非演奏者側、中間部の３点で支持し、棚板には２点で接してシャーシを棚板上に支持している。
従って、この鍵盤楽器では、棚板に対しては２点で接して支持しているので、棚板が反ってもシャーシが反ることがないよう、シャーシを棚板上に設置することができる。また、この鍵盤楽器では、シャーシに対しては３点で接して中間部も支持しているので、押鍵されても、シャーシが反ることがないよう、リブを用いることなくシャーシを棚板の上方に設置することができる。
【００１４】
次に、請求項２記載の鍵盤楽器のように、中間部は、ハンマーがシャーシに揺動可能に支持される部分、あるいは、その近傍であることが好ましい。この請求項２記載の鍵盤楽器のように、ハンマーが揺動可能に支持される部分を支持すればシャーシが反らないので、シャーシの反りを有効に防止できる。
【００１５】
特に、ハンマーからシャーシに働く力は、上下方向に働く力が強いので、請求項３記載の鍵盤楽器のように、第１支持具は、シャーシを支持している中間部の直下あるいは直下近傍で棚板に接して、シャーシを棚板の上方に支持することが好ましい。このようにシャーシを支持すれば、シャーシの反りをより有効に防止できる。
【００１６】
ところで、上記鍵盤楽器を構成する支持手段としては、請求項４に記載された鍵盤楽器のように、前記演奏者側あるいは前記非演奏者側のいずれか一方及び前記中間部で前記シャーシに接し、前記中間部で前記棚板に接して、前記シャーシを前記棚板の上方に支持する第１支持具と、前記演奏者側あるいは前記非演奏者側のうち、前記第１支持具が接していない側でシャーシ及び前記棚板に接して、前記シャーシを前記棚板の上方に支持する第２支持具とを備えるものを用いるとよい。
【００１７】
この請求項４記載の鍵盤楽器では、第１支持具が、シャーシの演奏者側あるいは非演奏者側のうちいずれか一方と中間部との２箇所でシャーシに接し、棚板には中間部の１箇所で接してシャーシを棚板上に支持し、第２支持具が、演奏者側あるいは非演奏者側のうち第１支持具が接していない側の１箇所で接し、棚板には１箇所で接してシャーシを棚板上に支持しているので、第１支持具及び第２支持具全体では、シャーシに対し演奏者側、非演奏者側、中間部の３点で接し、棚板には２点で接してシャーシを棚板上に設置している。そのため、請求項１記載の鍵盤楽器と同様の効果を奏するとともに、支持手段を分離することにより、設計の自由度を向上させることができる。
【００１８】
尚、請求項５記載の第１支持具、すなわち、演奏者側あるいは非演奏者側のいずれか一方及び中間部でシャーシに接し、中間部で棚板に接して、シャーシを棚板の上方に支持可能な形状に形成されている第１支持具を用いると、上述したような効果を奏する鍵盤楽器を構築できる。
【００１９】
【発明の実施の形態】
以下、本発明が適用された実施形態について図面を用いて説明する。
ここで図１は、鍵盤の並び方向から見た鍵盤装置の断面図である。尚、図１は白鍵の場合について例示した。黒鍵については主要構造が白鍵と同様であるため、その説明を省略する。
【００２０】
鍵盤装置１は、鍵盤１０、ハンマー２０、シャーシ３０を備えている。
このうち鍵盤１０は、シャーシ３０の非演奏者側に設けられた鍵盤支持部３０ａに揺動可能に支持されている。この鍵盤１０は、シャーシ３０上に、図１の紙面に対し垂直な方向に複数並列に並べられて取り付けられている。
【００２１】
ハンマー２０は、シャーシ３０の演奏者側と非演奏者側の間の中間部の上面に設けられたハンマー支持部３２にその一端が揺動可能に支持されている。そしてこのハンマー２０は、シャーシ３０に設けられた穴部３０ｃを通し、その先端がシャーシ３０の演奏者側の下部に位置するよう配置されている。またこのハンマー２０は、ハンマー支持部３０ｂに支持されている回転軸２１より非演奏者側にテール部２２を備え、このテール部２２には鍵盤１０に備えられた突起１１が当接している。そのため、鍵盤１０を押鍵すると、この突起１１がテール部２２を押し、ハンマー２０の先端を上方に向かって揺動するので、鍵盤楽器１ではこのことにより演奏者に押鍵の手応感を与えているのである。
【００２２】
シャーシ３０は、テール部２０ｂの下部に、鍵盤装置１の制御部を構成する基板３１を備え、その基板３１上にはゴムスイッチ部３２が設置されている。そのため、押鍵されると、ハンマー２０のテール部２２を介してゴムスイッチ部３２が押され、押鍵に応じた音が制御部を介して発せられる。
【００２３】
また、シャーシ３０は、棚板４０から所定高さの位置に設置されるよう第１支持具５０及び第２支持具５１で支持されている。
このうち第１支持具５０は、ハンマー支持部３０ｂが設けられたシャーシ３０の下面に接しシャーシ３０を支持する第１接点部５０ａと、この第１接点部５０ａの非演奏者側の端部から垂直に下方に向かって延設された第１支持部５０ｂと、この第１支持部５０ｂの下端から非演奏者側に向かって延設され、棚板４０に接する第２接点部５０ｃと、この第２接点部５０ｃの非演奏者側の端部から、鍵盤支持部３１が設けられたシャーシ３０の下面に後方斜め上方に向かって延設された第２支持部５０ｄと、この第２支持部５０ｄの非演奏者側の端部から延設され、鍵盤支持部３１が設けられたシャーシ３０の下面に接しシャーシ３０を支持する第３接点部５０ｅとを備える形状に形成されている。この第１支持具５０は、シャーシ３０に対しては２点で、一方棚板４０に対しては１点で接し、シャーシ３０は棚板４０上に支持される。また、この第１支持具５０を用いると、シャーシ３０は、ハンマー支持部３０ｂの直下で棚板４０上に支持される。
【００２４】
一方、第２支持具５１は、略コ字状に形成されており、シャーシ３０の演奏者側の下面でシャーシ３０に接する第１接点部５１ａと、この第１支持部５１ａの演奏者側の端部から垂直に下方に向かって延設された第１支持部５１ｂと、この第１支持部５１ｂの下端から非演奏者側に向かって延設され棚板４０に接する第２接点部５１ｃとを備える形状に形成されている。この第２支持具５１を用いると、シャーシに対しても棚板４０に対しても１点で接し、シャーシ３０は棚板４０上に支持される。
【００２５】
以上説明した鍵盤装置１では、第１支持具５０及び第２支持具５１を用いると、シャーシ３０に対し演奏者側、非演奏者側、中間部の３点で接し、棚板４０には２点で接してシャーシ３０が棚板４０上に設置される。
従って、この第１支持具５０及び第２支持具５１を用いてシャーシ３０を棚板４０から所定高さ位置に設置すると、棚板４０に対しては２点で接して支持しているので、棚板４０が反ってもシャーシ３０が反ることがないよう、シャーシ３０を棚板４０上に設置することができる。また、シャーシ３０に対しては３点で接し、特にハンマー支持部３０ｂを支持しているので、押鍵されたときハンマー支持部３０ｂが下方に向かってから力を受けても、シャーシ３０が反ることがないよう、リブを用いることなくシャーシ３０を棚板４０の上方に設置することができる。
【００２６】
また、本実施形態では、第２支持具５１を用いて、シャーシ３０の演奏者側を支持したが、これは、演奏者が鍵盤１０に手をついて立ち上がるなど、大きな力が垂直下方に向かってかかる可能性があるためである。しかし、本実施形態のように、シャーシ３０の演奏者側だけは、第２支持具５１を用いて上述したように支持しているので、このような不測の大きな力がかかってもフレーム３０等が曲がらないよう強固に支持することができる。
【００２７】
尚、本発明の実施の形態は、上記実施形態に何ら限定されるものではなく、本発明の技術的範囲に属する限り種々の形態を採り得ることはいうまでもない。
例えば、第１及び第２支持具と同様の強度を持つよう両支持具または一方をフレーム３０と一体化して成型してもよい。
【００２８】
また、本実施形態では、第１支持具５０は、シャーシ１０の非演奏者側と中間部を支持するものを用いたが、演奏者側と中間部を支持するものでもよいことはもちろんである。またこの場合、第２支持具５１は、シャーシ１０の非演奏者側を支持するものを用いるとよい。
【図面の簡単な説明】
【図１】    本実施形態の鍵盤の並び方向から見た鍵盤装置の断面図である。
【図２】    従来の鍵盤装置の側面図である。
【図３】    従来の鍵盤装置の斜視図である。
【図４】ハンマーや鍵盤を除いた従来の鍵盤装置の側面図である。
【図５】ハンマーや鍵盤を除いた従来の鍵盤装置の側面図である。
【図６】従来の鍵盤装置の斜視図である。
【図７】従来の鍵盤装置を側面から見た模式図である。
【図８】従来の鍵盤装置を側面から見た模式図である。
【符号の説明】
１…鍵盤装置、１０…鍵盤、１１…突起、２０…ハンマー、２１…回転軸、２２…テール部、３０…シャーシ、３１…鍵盤支持部、３２…ハンマー支持部、４０…棚板、５０…第１支持具、５０ａ…第１接点部、５０ｂ…第１支持部、５０ｃ…第２接点部、５０ｄ…第２支持部、５０ｅ…第３接点部、５１…第２支持具、５１ａ…第１接点部、５１ｂ…第１支持部、５１ｃ…第２接点部
【図１】
2004212787.tif 000003
【図２】
2004212787.tif 000004
【図３】
2004212787.tif 000005
【図４】
2004212787.tif 000006
【図５】
2004212787.tif 000007
【図６】
2004212787.tif 000008
【図７】
2004212787.tif 000009
【図８】
2004212787.tif 000010